【手続補正書】
【提出日】平成23年7月6日(2011.7.6)
【手続補正１】
【補正対象書類名】特許請求の範囲
【補正対象項目名】全文
【補正方法】変更
【補正の内容】
【特許請求の範囲】
【請求項１】
トレイ内に形成される複数の枡に収容した薬剤を順次供給するようにした手撒き薬剤供給装置であって、
処方データを受信する受信手段と、
バーコードリーダと、
前記バーコードリーダによって薬瓶又は薬剤の包装箱のバーコードを読み取り、記憶したデータベースを参照して薬剤を特定する薬剤特定手段と、
前記トレイの各枡に収容する薬剤の割当条件を記憶する記憶手段と、
前記受信手段に順次受信される処方データに基づいて、前記記憶手段に記憶させた割当条件に従って、前記トレイの各枡に手撒きする薬剤の位置を決定する位置決定手段と、
前記薬剤特定手段によって特定された薬剤に関して、前記位置決定手段によって決定された手撒き位置を表示する表示手段と、
を備えたことを特徴とする手撒き薬剤供給装置。
【請求項２】
前記記憶手段に記憶させる割当条件には、前記トレイに割り当てることのできる最大分包数を超えないことを条件とする最大分包数割当を含み、
前記位置決定手段は、少なくとも、前記受信手段で受信する各処方データの包数を順次カウントし、前記記憶手段に記憶した最大分包数割当に基づいて、カウントした包数の累積値が前記最大分包数を超えない最大値とし、前記トレイの各枡に手撒きする薬剤の位置を決定することを特徴とする請求項１に記載の手撒き薬剤供給装置。
【請求項３】
前記記憶手段に記憶させる割当条件には、さらに、
病棟単位割当、処方数割当、受信時間割当、強制割当のうちの少なくともいずれか１つを含み、
前記位置決定手段は、前記最大分包数割当を含む、前記いずれか２以上の割当条件のうち、いずれか１つを満足することにより前記トレイに割り当てる処方データを決定することを特徴とする請求項２に記載の手撒き薬剤供給装置。
【請求項４】
さらに、前記トレイの各枡に収容する薬剤の手撒きパターンを選択するための手撒きパターン選択手段を備えたことを特徴とする請求項１から３のいずれか１項に記載の手撒き薬剤供給装置。
【請求項５】
前記手撒きパターンは、各枡からの薬剤の供給順に連続して手撒きする連続セット、及び、処方が変更されることにより少なくとも１枡空けて次の手撒きをする枡空けセットのうち、少なくともいずれか１つを含むことを特徴とする請求項４に記載の手撒き薬剤供給装置。
【請求項６】
前記位置決定手段によってトレイの各枡に手撒きする薬剤の位置が決定されることにより、前記表示手段に手撒きを開始してよいことを示す手撒き許可表示を行わせる表示制御手段を備えたことを特徴とする請求項１から５のいずれか１項に記載の手撒き薬剤供給装置。
【請求項７】
トレイ内に形成される複数の枡に収容した薬剤を順次供給するようにした手撒き薬剤供給装置であって、
処方データを受信する受信手段と、
前記トレイの各枡に収容する薬剤の割当条件を記憶する記憶手段と、
前記受信手段に順次受信される処方データに基づいて、前記記憶手段に記憶させた割当条件に従って、前記トレイの各枡に手撒きする薬剤の位置を決定する位置決定手段と、
前記位置決定手段によって決定された手撒き位置を表示する表示手段と、
前記トレイの全体を撮影し各枡に収容されている薬剤を確認する手段と、
を備えたことを特徴とする手撒き薬剤供給装置。
【請求項８】
トレイ内に形成される複数の枡に薬剤を手撒きする位置を決定する薬剤の手撒き方法であって、
処方データを受信し、
薬瓶又は薬剤の包装箱のバーコードを読み取り、記憶したデータベースを参照して薬剤を特定し、
受信した処方データに基づいて、割当条件に従って、前記トレイの各枡に手撒きする薬剤の位置を決定し、
前記特定した薬剤に関して、決定した手撒き位置を表示することを特徴とする薬剤の手撒き方法。
【請求項９】
トレイ内に形成される複数の枡に収容した薬剤を順次供給して包装するようにした薬剤分包装置であって、
処方データを受信する受信手段と、
バーコードリーダと、
前記バーコードリーダによって薬瓶又は薬剤の包装箱のバーコードを読み取り、記憶したデータベースを参照して薬剤を特定する薬剤特定手段と、
前記トレイの各枡に収容する薬剤の割当条件を記憶する記憶手段と、
前記受信手段に順次受信される処方データに基づいて、前記記憶手段に記憶させた割当条件に従って、前記トレイの各枡に手撒きする薬剤の位置を決定する位置決定手段と、
前記薬剤特定手段によって特定された薬剤に関して、前記位置決定手段によって決定された手撒き位置を表示する表示手段と、
を備えたことを特徴とする薬剤分包装置。
【請求項１０】
前記受信手段に受信された処方データに含まれる手撒き薬剤に関するデータを抽出する抽出手段と、
前記抽出手段によって抽出された手撒き薬剤に関するデータに基づいて、前記トレイのいずれの枡に手撒きするのかを示す手撒き指示書を印刷する印刷手段と、
をさらに備えたことを特徴とする請求項９に記載の薬剤分包装置。
【請求項１１】
前記表示手段には、前記抽出手段によって手撒き薬剤に関するデータが抽出されることにより手撒き処理を開始してよい旨の表示を行うことを特徴とする請求項９又は１０に記載の薬剤分包装置。
【手続補正２】
【補正対象書類名】明細書
【補正対象項目名】０００７
【補正方法】変更
【補正の内容】
【０００７】
本発明は、前記課題を解決するための手段として、
トレイ内に形成される複数の枡に収容した薬剤を順次供給するようにした手撒き薬剤供給装置であって、
処方データを受信する受信手段と、
バーコードリーダと、
前記バーコードリーダによって薬瓶又は薬剤の包装箱のバーコードを読み取り、記憶したデータベースを参照して薬剤を特定する薬剤特定手段と、
前記トレイの各枡に収容する薬剤の割当条件を記憶する記憶手段と、
前記受信手段に順次受信される処方データに基づいて、前記記憶手段に記憶させた割当条件に従って、前記トレイの各枡に手撒きする薬剤の位置を決定する位置決定手段と、
前記薬剤特定手段によって特定された薬剤に関して、前記位置決定手段によって決定された手撒き位置を表示する表示手段と、
を備えた構成としたものである。
【手続補正３】
【補正対象書類名】明細書
【補正対象項目名】０００８
【補正方法】変更
【補正の内容】
【０００８】
この構成により、順次、受信する処方データを、予め設定した割当条件に従って、トレイの各枡のどの位置に収容すればよいのかを表示させることができる。つまり、複数の処方データに基づいて１つのトレイに薬剤を手撒きしておくことができる上、予め設定した割当条件に従って自動的に手撒き位置を決定し、手撒きすればよい枡の位置を表示手段に表示させることができる。特に、バーコードリーダで薬瓶又は薬剤の包装箱のバーコードを読み取ることにより特定した薬剤に関して手撒き位置を表示させることができる。
【手続補正４】
【補正対象書類名】明細書
【補正対象項目名】００１３
【補正方法】変更
【補正の内容】
【００１３】
また、本発明は、前記課題を解決するための手段として、
トレイ内に形成される複数の枡に収容した薬剤を順次供給するようにした手撒き薬剤供給装置であって、
処方データを受信する受信手段と、
前記トレイの各枡に収容する薬剤の割当条件を記憶する記憶手段と、
前記受信手段に順次受信される処方データに基づいて、前記記憶手段に記憶させた割当条件に従って、前記トレイの各枡に手撒きする薬剤の位置を決定する位置決定手段と、
前記位置決定手段によって決定された手撒き位置を表示する表示手段と、
前記トレイの全体を撮影し各枡に収容されている薬剤を確認する手段と、
を備えたものである。
さらに、本発明は、前記課題を解決するための手段として、
トレイ内に形成される複数の枡に収容した薬剤を順次供給して包装するようにした薬剤分包装置であって、
処方データを受信する受信手段と、
バーコードリーダと、
前記バーコードリーダによって薬瓶又は薬剤の包装箱のバーコードを読み取り、記憶したデータベースを参照して薬剤を特定する薬剤特定手段と、
前記トレイの各枡に収容する薬剤の割当条件を記憶する記憶手段と、
前記受信手段に順次受信される処方データに基づいて、前記記憶手段に記憶させた割当条件に従って、前記トレイの各枡に手撒きする薬剤の位置を決定する位置決定手段と、
前記薬剤特定手段によって特定された薬剤に関して、前記位置決定手段によって決定された手撒き位置を表示する表示手段と、
を備えた構成としたものである。